(57)【要約】【課題】  遮断機１３側に電力を供給している状態では誤動作が生じることがなく、しかも、遮断機１３側への電力を遮断している状態を一目で確認することができる継電器１を提供する。【解決手段】  盤内に備えられリレー側につながる回路１２及び遮断機１３側につながるコイル１４を常時接続する接続回路１１と、盤外から接続回路１１に嵌合して接続回路１１を非接続状態にするロック端子２１と、ロック端子２１が嵌合されていない時に接続部の盤面を覆うカバー部材３とを備え、接続回路１１を非接続状態にする際にロック端子２１を嵌合し、遮断機１３側に電力を供給している状態ではカバー部材３により嵌合部２を覆い、外部信号が入力しないようにして誤動作の発生をなくし、ロック端子２１の嵌合により遮断機１３を遮断している状態を一目で確認する。【選択図】  図２
2007336630.tif 000002
【特許請求の範囲】
【請求項１】
機器の接点の開閉を行う回路を備えた継電器において、
盤内に備えられリレー側につながる回路及び開閉される機器側につながる回路を常時接続する接続回路と、盤外から接続回路に嵌合して接続回路を非接続状態にするロック端子と、ロック端子が嵌合されていない時に接続部の盤面を覆うカバー部材と
を備えたことを特徴とする継電器。
【請求項２】
請求項１に記載の継電器において、
接続回路は、リレー側につながる回路側のリレー側接触子と、機器側につながる回路側の機器側接触子とからなり、
ロック端子は、リレー側接触子に導通するリレー側導通子と、機器側接触子に導通する機器側導通子とが絶縁状態で備えられ、リレー側導通子には出力状態を確認する出力端子が接続され、機器側導通子には入力状態を確認する入力端子が接続され、ロック端子が接続回路に嵌合した際に出力端子及び入力端子は盤外に配置される
ことを特徴とする継電器。
【請求項３】
請求項１または請求項２に記載の継電器において、
カバー部材は、盤面に対して可動自在に備えられ、ロック端子が嵌合されていない時に接続部側に移動する
ことを特徴とする継電器。
【発明の詳細な説明】
【技術分野】
【０００１】
本発明は、機器の接点の開閉を行う回路を備えた継電器に関する。
【背景技術】
【０００２】
例えば、変電所には送電線から分岐する負荷側の電路を遮断する遮断機が備えられている。遮断機は継電器の電流の断続に伴って接点が開閉されるようになっており、通常の状態では遮断機を接続状態にするように短絡部材等を用いて電流がつながれた状態になっている。点検時などに遮断機を断続状態にする場合、短絡部材を外して継電器側で電力を遮断し、遮断機の動作状態や継電器からの信号の出力状態を確認する等の点検が行われている。
【０００３】
一般的に、継電器には、リレー側につながるプラグと遮断機側につながるプラグとを備えたロック端子を備え、ロック端子のプラグを短絡部材により連結することにより遮断機側を動作（接続動作）させるコイルに電力を供給するようになっている。そして、遮断機を断続状態にする場合、ロック端子自体を外したり短絡部材を外すことで、コイルに供給する電力を停止し遮断機の接点を開き状態に動作させる（例えば、特許文献１参照）。
【０００４】
従来の継電器は、ロック端子が盤の全面に設置され、外部からの誤信号や衝撃による端子の緩みがカバーによって保護されている。しかし、カバーによって保護されていても外部からの誤信号の入力は完全には否定できず、電路の遮断が必要ない場合にも遮断機が断続状態になる虞があった。また、振動に対して端子の緩みを完全に回避することは困難であった。更に、端子は締め込み方式であるため、端子に緩みが生じても外観からは判断することが困難な状況であった。
【０００５】
【特許文献１】特開平１０−２８５７１６号公報
【発明の開示】
【発明が解決しようとする課題】
【０００６】
本発明は上記状況に鑑みてなされたもので、機器側に電力を供給している状態では誤動作が生じることがなく、しかも、機器側を遮断している状態を一目で確認することができる継電器を提供することを目的とする。
【課題を解決するための手段】
【０００７】
上記目的を達成するための本発明の第１の態様は、機器の接点の開閉を行う回路を備えた継電器において、盤内に備えられリレー側につながる回路及び開閉される機器側につながる回路を常時接続する接続回路と、盤外から接続回路に嵌合して接続回路を非接続状態にするロック端子と、ロック端子が嵌合されていない時に接続部の盤面を覆うカバー部材とを備えたことを特徴とする継電器にある。
【０００８】
第１の態様では、接続回路は常時は接続状態にあり接続部はカバーで覆われ、接続回路を非接続状態にする際にロック端子が嵌合されるので、機器側に電力を供給している状態では外部信号が入力せず誤動作が生じることがなく、ロック端子の嵌合により機器側を遮断している状態を一目で確認することができる。
【０００９】
そして、本発明の第２の態様は、第１の態様に記載の継電器において、接続回路は、リレー側につながる回路側のリレー側接触子と、機器側につながる回路側の機器側接触子とからなり、ロック端子は、リレー側接触子に導通するリレー側導通子と、機器側接触子に導通する機器側導通子とが絶縁状態で備えられ、リレー側導通子には出力状態を確認する出力端子が接続され、機器側導通子には入力状態を確認する入力端子が接続され、ロック端子が接続回路に嵌合した際に出力端子及び入力端子は盤外に配置されることを特徴とする継電器にある。
【００１０】
第２の態様では、ロック端子を嵌合して機器側を遮断している状態で、盤外にあるロック端子の出力端子によりリレー側につながる回路の出力状態を確認することができ、盤外にあるロック端子の入力端子により機器側につながる回路の入力状態を確認することができる。
【００１１】
また、本発明の第３の態様は、第１の態様または第２の態様に記載の継電器において、カバー部材は、盤面に対して可動自在に備えられ、ロック端子が嵌合されていない時に接続部側に移動することを特徴とする継電器にある。
【００１２】
第３の態様では、カバーに表示を行うことで、ロック端子が嵌合されていない時にカバーを接続部に移動させて、機器側が接続されている状態を嵌合部に表示することができる。
【発明の効果】
【００１３】
本発明の継電器は、機器側に電力を供給している状態では誤動作が生じることがなく、しかも、機器側を遮断している状態を一目で確認することができる継電器とすることができる。
【発明を実施するための最良の形態】
【００１４】
図１には本発明の一実施形態例に係る継電器の正面視、図２、図３には本発明の一実施形態例に係る継電器の概略側面視、図４には図３中のＩＶ−ＩＶ線矢視を示してある。図２はロック端子が接続されていない状態で、図３はロック端子が接続された状態である。本実施形態例では、機器として遮断機を適用し、継電器は遮断機を接続状態にする場合と断続状態にする場合の切り換えのリレーとして動作するものを例に挙げて説明してある。
【００１５】
供給側の電路から分岐して負荷側の電路につながる負荷側電路には遮断機が設けられ、遮断機は、継電器からの電力がコイルに供給されることにより接点が開閉動作される。例えば、電力がコイルに供給されている場合には遮断機が接続状態にされ、コイルへの電力がなくなると、即ち、継電器からの電力の供給がなくなると、遮断機が断続状態にされる。つまり、継電器には、遮断機の接点の開閉を行う回路が備えられている。
【００１６】
図１に示すように、継電器１には負荷側電路毎にロック端子が盤外から嵌合する嵌合部２が複数設けられている（図１では３個の電路）。詳細は後述するが、ロック端子が嵌合していない状態では、盤内の接続回路は、リレー側につながる回路及び遮断機側につながる回路が常時接続した状態にされている。ロック端子が嵌合する嵌合部の前面（盤面）はカバー部材３で覆われ、カバー部材３の表面には、リレー側につながる回路と遮断機側につながる回路が接続した状態にある旨の「運転中」の表示がされている。また、嵌合部２の上側の盤面には各電路の線名が表示される表示板４が取り付けられている。
【００１７】
図２、図３に基づいて継電器１の詳細を説明する。
【００１８】
継電器１には接続回路１１が設けられ、接続回路１１は盤内に備えられリレー側につながる回路１２と遮断機１３側につながる回路であるコイル１４を常時接続する回路となっている。接続回路１１は、リレー側につながる回路１２側のリレー側接触子１５と、遮断機１３側につながる回路であるコイル１４の機器側接触子１６とからなり、リレー側接触子１５と機器側接触子１６が弾性力により常時接触した状態になっている。
【００１９】
一方、カバー部材３は上縁部のヒンジ１７を介して開閉自在に支持され、ロック端子２１を嵌合部２に挿入する際には、カバー部材３の下縁を上方に回動させることで嵌合部２が盤面に臨む状態にされる。尚、カバー部材３をヒンジ１７により開閉自在としたが、スライド自在に支持する等の構成とすることも可能である。
【００２０】
ロック端子２１は、接続回路１１のリレー側接触子１５と機器側接触子１６の間に挿入されてリレー側接触子１５と機器側接触子１６とを弾性力に抗して非接触状態にする（図３の状態）挿入部２２を備えている。挿入部２２には、リレー側接触子１５に導通するリレー側導通子２５と、機器側接触子１６に導通する機器側導通子２６とが備えられ、リレー側導通子２５と機器側導通子２６は絶縁状態とされている。
【００２１】
つまり、リレー側接触子１５と機器側接触子１６が弾性力により常時接触した状態にある継電器１は、リレー側につながる回路１２からの電力が遮断機１３側につながるコイル１４に供給され、遮断機１３の動作が行われる。継電器１にロック端子２１を装着した場合、ロック端子２１の挿入部２２がリレー側接触子１５と機器側接触子１６との間に挿入され、リレー側接触子１５と機器側接触子１６が非接触状態になり、リレー側につながる回路１２から遮断機１３側につながるコイル１４への電力が遮断される。
【００２２】
また、ロック端子２１のリレー側導通子２５にはリレー側につながる回路１２の出力状態を確認する出力端子２７が接続され、ロック端子２１の機器側導通子２６にはコイル１４の入力状態を確認する入力端子２８が接続されている。ロック端子２１が嵌合部２に挿入された場合（図３の状態）、出力端子２７及び入力端子２８は遮断機１３の盤外に配置される。
【００２３】
リレー側につながる回路１２から遮断機１３側につながるコイル１４への電力が遮断された状態で、出力端子２７を用いてリレー側につながる回路１２の出力状態が確認され、入力端子２８を用いて遮断機１３側につながるコイル１４の入力状態が確認される。
【００２４】
上述した構成の継電器１では、遮断機１３を通常に動作させる場合、図１、図２に示すように、ロック端子２１を外してカバー部材３により嵌合部２の盤面側を覆って運転状態であることを表示する。
【００２５】
このため、遮断機１３側に電力を供給している状態では、カバー部材３が嵌合部２の盤面側を覆っている状態にあり、運転中であることを一目で確認することができ、誤って外部信号（接続回路１１を非接触状態にする信号等）を入力させる事態を確実に回避することができる。
【００２６】
また、遮断機１３への電力の供給を停止して点検等を行う場合、図３、図４に示すように、カバー部材３を開いてロック端子２１を嵌合部２に嵌合する。挿入部２２がリレー側接触子１５と機器側接触子１６との間に挿入され、リレー側接触子１５と機器側接触子１６が非接触状態になり、リレー側につながる回路１２から遮断機１３側につながるコイル１４への電力が遮断される。この状態で、出力端子２７を用いてリレー側につながる回路１２の出力状態が確認され、入力端子２８を用いて遮断機１３側につながるコイル１４の入力状態が確認される。
【００２７】
このため、遮断機１３側への電力を停止している状態では、出力端子２７及び入力端子２８の部分のロック端子２１が継電器１の盤面から突出した状態（ロック端子２１が装着された状態）にあり、接続回路１１が非接触状態となって遮断機１３が非動作状態になっていることを一目で確認することができ、誤って外部信号（接続回路１１を接触状態にする信号等）を入力させる事態を確実に回避することができる。
【００２８】
従って、上述した継電器１は、遮断機１３側に電力を供給している状態では誤動作が生じることがなく、しかも、遮断機１３側への電力を遮断している状態を一目で確認することができる。即ち、外観での状態の確認が簡単に行える。また、通常は接続回路１１が接触状態にされているので、短絡部材等が不要で、外力（振動等）によって遮断機１３の通常の運転が阻害されることがない。
【産業上の利用可能性】
【００２９】
本発明は、機器の接点の開閉を行う回路を備えた継電器の産業分野で利用することができる。
【図面の簡単な説明】
【００３０】
【図１】本発明の一実施形態例に係る継電器の正面図である。
【図２】本発明の一実施形態例に係る継電器の概略側面図である。
【図３】本発明の一実施形態例に係る継電器の概略側面図である。
【図４】図３中のＩＶ−ＩＶ線矢視図である。
【符号の説明】
【００３１】
１  継電器
２  嵌合部
３  カバー部材
４  表示板
１１  接続回路
１２  回路
１３  遮断機
１４  コイル
１５  リレー側接触子
１６  機器側接触子
１７  ヒンジ
２１  ロック端子
２２  挿入部
２５  リレー側導通子
２６  機器側導通子
２７  出力端子
２８  入力端子
【図１】
2007336630.tif 000003
【図２】
2007336630.tif 000004
【図３】
2007336630.tif 000005
【図４】
2007336630.tif 000006